(57)【特許請求の範囲】
【請求項１】
パイプ状素材より、所定の長さのリング状素材を製作する第１工程と、
前記リング状素材に据込み用マンドレルを圧入状態となるように挿入した後、前記リング状素材を所定の据え込み高さに冷間鍛造により据込んで、据込みリング状素材を成形する第２工程と、
それぞれ外周面に前記据込みリング状素材の幅と同じ幅である凹部を有する成形ロール及び冷間ローリングマンドレルを用いて、前記据込みリング状素材を冷間ローリング加工により狙いの外径に拡径したリング素材を成形する第３工程を有し、
前記パイプ状素材から切り出す前記リング状素材の長さを変えるだけで、同じ内外径のパイプ状素材、同じ据込み金型、同じ冷間ローリング用の成形ロール及び冷間ローリングマンドレルを用いて、外径の異なるリング素材を成形することを特徴とするリング素材の製造方法。
【発明の詳細な説明】
【技術分野】
【０００１】
本発明は、転がり軸受、すべり軸受の内輪、外輪等に使用されるリング素材の製造方法に関するものである。
【背景技術】
【０００２】
従来のリング素材の製造方法は、丸棒素材から複数の鍛造工程と切削工程とにより、完成品に近い形状及び寸法のリング素材を得る方法が知られている。例えば、特許文献１に開示されている転がり軸受の内輪、外輪に用いるリング素材を製造する方法について図３に基づいて説明する。
【０００３】
第１工程において丸棒素材１を所定の長さに切断して円盤状素材２を製造し、第２工程で前記円盤状素材２にプレス打抜きにより内輪内径穴を形成し円筒状素材３を成形する。次いで、第３、４工程で前記円筒状素材３の両端面に円環状の溝４、５を切削加工で形成した後に、第５工程でプレス加工により前記円筒状素材３を内輪用リング素材６と外輪用リング素材８に分離するという方法である。
【０００４】
しかしながら、上記の方法では製造する外輪外径と同一外径の丸棒素材を用意する必要があり、また、切削加工による材料の廃棄が生じ、材料歩留まりが悪いという問題点があった。
【０００５】
この対策として、特許文献１の図２では、軸受鋼円柱素材を所定の長さに切断し、これをプレス加工により、軸受の内輪用リング状素材と、外輪用リング状素材とに分離し、その後冷間ローリング加工で拡径して軸受の内輪用リング素材、外輪用リング素材に成形することで、工程数の削減と材料歩留まりの向上を行う方法が示されている。また、特許文献２の図１では、軸受鋼管を所定の長さに切断し、これを鍛造加工して軸受の外輪用素材、内輪用素材を成形することにより、材料歩留まりを向上させる方法が示されている。
【先行技術文献】
【特許文献】
【０００６】
【特許文献１】特開平８−０９０１２９号公報
【特許文献２】特開２００７−１３０６７３号公報
【発明の概要】
【発明が解決しようとする課題】
【０００７】
しかしながら、これらの先行技術には、幅はそのままに外径を変更した内輪用リング素材、外輪用リング素材を製造する場合、パイプ状素材の外径、内輪内径穴用の穴あけパンチ、外輪用リング素材と内輪用リング素材とを分離するための分離パンチ、を変更する必要があり、セット替えの手間がかかる。また、製造するリングの寸法に応じた素材やパンチ類が必要となり、ランニングコストが高くなる。さらに、特許文献１、特許文献２の方法では、何等かの不具合により、外輪用リング素材、内輪用リング素材のいずれか片方のみが必要になった場合に、不要な素材が生じてしまうという問題が有った。
【０００８】
そこで、本発明は、セット替えの手間を低減し、あるいは、ほとんどかけずに、ランニングコストも安く、多種のリングが製造できる製造方法を提供することを課題としている。
【課題を解決するための手段】
【０００９】
上記問題を解決するために、本発明は、
パイプ状素材より、所定の長さのリング状素材を製作する第１工程と、
前記リング状素材に据込み用マンドレルを圧入状態となるように挿入した後、前記リング状素材を所定の据え込み高さに冷間鍛造により据込んで、据込みリング状素材を成形する第２工程と、
それぞれ外周面に前記据込みリング状素材の幅と同じ幅である凹部を有する成形ロール及び冷間ローリングマンドレルを用いて、前記据込みリング状素材を冷間ローリング加工により狙いの外径に拡径したリング素材を成形する第３工程を有し、
前記パイプ状素材から切り出す前記リング状素材の長さを変えるだけで、同じ内外径のパイプ状素材、同じ据込み金型、同じ冷間ローリング用の成形ロール及び冷間ローリングマンドレルを用いて、外径の異なるリング素材を成形することを特徴としている。
【発明の効果】
【００１０】
本発明は以上のような構成を有しており、リング状素材の長さを変更するだけで、外径の異なるリング素材を成形することが出来る。
また、リング状素材の長さと、据込み高さと、冷間ローリング型を変更することで、外径と幅の異なるリング素材を成形することが出来る。このように、リング素材の寸法変更によるセット替えの手間が低減可能であり、用意する素材、鍛造型が少なくて済む為、ランニングコストも安価で、多品種のリング素材を生産できるという効果が有る。
【図面の簡単な説明】
【００１１】
【図１】本発明によるリング素材の製造方法（長さＨ１のリング状素材から外径Ｄ１のリング素材を成形する場合）を示す図である。
【図２】本発明によるリング素材の製造方法（長さＨ２のリング状素材から外径Ｄ２のリング素材を成形する場合）を示すものである。
【図３】従来の方法による、軸受内輪、外輪の製造方法を示すものである。
【発明を実施するための形態】
【００１２】
以下、この発明の実施形態について図面を参照して説明する。
【００１３】
図１、２は、本発明に係る実施形態の工程を示すものである。
【００１４】
図１において、まず第１工程で、パイプ状素材１１を 最終形態であるリング素材２０の必要外径Ｄ１に応じて長さＨ１に突っ切り、リング状素材１２を製作する。パイプ状素材１１の内径は、冷間ローリングのマンドレル１８の最大外径を基準に、最大径よりも若干大きい値に決定する。
【００１５】
次いで第２工程で、第１工程で得られたリング状素材１２の内径をマンドレル１５に通し、上下平らな据込型１４ａ、１４ｂで挟み込み、狙いの据込み高さｈまで据込み、据込みリング状素材１６を成形する。
【００１６】
マンドレル１５を使うことで、リング状素材１２が据込まれる際の座屈を防止できる。
リング状素材１２の内径とマンドレル１５の外径はわずかなスキマになる様にする。
【００１７】
但し、冷間鍛造で据込みを行う場合は、リング状素材１２の内径とマンドレル１５を圧入状態にして成形荷重の低減を行っても良い。
【００１８】
次いで、第３工程で、第２工程で得られた据込みリング状素材１６の内径側にマンドレル１８を、外径側に成形ロール１９をセットし、マンドレル１８と成形ロール１９とで、据込みリング状素材１６を挟み、径方向両側より押圧する冷間ローリング加工により、据込みリング状素材１６を拡径し、狙いの外径Ｄ１、幅ｈのリング素材２０を成形する。
【００１９】
冷間ローリングのマンドレル１８の最大外径はマンドレル１８の材料強度により決定する。
【００２０】
成形したリング素材２０は切削加工、熱処理、研削加工、研磨加工、を行い、軸受リングとなる。
【００２１】
次に、図２に基づいてリング状素材の長さを前記図１よりも長く変更した場合について説明する。
【００２２】
図２において、まず第１工程で、パイプ状素材１１を最終形態であるリング素材２１の必要外径Ｄ２に応じて長さＨ２に突っ切り、リング状素材１３を製作する。この時、Ｈ２＞Ｈ１、Ｄ２＞Ｄ１とする。次いで第２工程で、前記第１工程で得られたリング状素材１３をマンドレル１５、据込型１４ａ、１４ｂにて、据え込み高さｈまで据込み、据込みリング状素材１７を成形する。
【００２３】
この時の据込みリング状素材１７の外径は前記図1の第２工程で得られる据込みリング状素材１６の外径よりも大径となっている。
【００２４】
次いで第３工程で、前記第２工程で得られた据込みリング状素材１７をマンドレル１８と成形ロール１９により冷間ローリング加工することにより、狙いの外径Ｄ２、幅ｈのリング素材２１を成形することができる。
【００２５】
上記図１及び図２の説明からも明らかなように、リング状素材１２、１３の長さＨ１、Ｈ２を変えるだけで、同一パイプ状素材、同一据込型、同一後方押出し型、同一抜き型、同一冷間ローリング型を用いて外径が異なるリング素材２０、２１を成形することができる。
【００２６】
また、軸受の内輪リング素材としてリング素材２０を、外輪リング素材としてリング素材２１を製造する場合、後工程での不具合等により、リング素材２０、２１のいずれか片方のリング素材が不足する場合は、不足分を補う様に不足したリング素材のみを製造することができ、材料の無駄が生じるのを最小限に抑えることが出来る。
【００２７】
また、リング素材の幅ｈを変更する際は、据込み高さhと冷間ローリングのマンドレル１８と成形ロール１９を変更するだけで良い。
【００２８】
なお、本発明におけるパイプ状素材としては、市販の鋼管等の管状もしくは円筒状の素材を使用することも可能である。
【産業上の利用可能性】
【００２９】
本発明は、転がり軸受の内輪、外輪等のリング状部材を製造する際に好適に適用することができる。所定の寸法の丸棒素材等にドリル等で加工し孔を形成したものでも良い。
【符号の説明】
【００３０】
１      丸棒素材
２      円盤状素材
３      リング状素材
４      環状溝
５      環状溝
６      内輪用リング素材
７      内輪
８      外輪用リング素材
９      外輪
１０    内輪と外輪の内外径差分の材料
１１    パイプ状素材
１２    リング状素材（長さＨ１）
１３    リング状素材（長さＨ２）
１４ａ  据込み金型上型
１４ｂ  据込み金型下型
１５    据込み用マンドレル
１６    据込みリング状素材（１２を据え込み）
１７    据込みリング状素材（１３を据え込み）
１８    冷間ローリングマンドレル
１９    成形ロール
２０    リング素材（外径Ｄ１）
２１    リング素材（外径Ｄ２）
【図１】
0005446785.tif 000002
【図２】
0005446785.tif 000003
【図３】
0005446785.tif 000004